(57)【要約】【課題】  地上との行き来がし易く、かつ水災害時、特に津波来襲時の押し波や引き波にも破壊されないようにした水災害時緊急避難用シェルターを提供する。【解決手段】  ＲＣ構造で地下に建築された床面及び壁面を有する地下シェルター室と、前記地下シェルター室の床面から地上に上がるための階段と、前記階段の上部を囲うようにＲＣ構造で地上に建築された壁面と天蓋を有する階段室と、を含み、前記階段室が、外部への出入り口を有し、かつ前記階段室の壁面の一部が、中央部が突出した平面視Ｖ字状の波切り壁とされてなるようにした。【選択図】  図１
0003171235.tif 000002
【実用新案登録請求の範囲】
【請求項１】
ＲＣ構造で地下に建築された床面及び壁面を有する地下シェルター室と、前記地下シェルター室の床面から地上に上がるための階段と、前記階段の上部を囲うようにＲＣ構造で地上に建築された壁面と天蓋を有する階段室と、を含み、前記階段室が、外部への出入り口を有し、かつ前記階段室の壁面の一部が、中央部が突出した平面視Ｖ字状の波切り壁とされてなることを特徴とする水災害時緊急避難用シェルター。
【請求項２】
前記波切り壁が、前記階段室の一端側と他端側に設けられることにより、押し波と引き波の両方の波を切れるようにしてなることを特徴とする請求項１記載の水災害時緊急避難用シェルター。
【請求項３】
前記階段室の天蓋が、傾斜して設けられることを特徴とする請求項１又は２記載の水災害時緊急避難用シェルター。
【請求項４】
前記階段室が、家屋の基礎と一体的に形成されてなることを特徴とする請求項１〜３いずれか１項記載の水災害時緊急避難用シェルター。
【請求項５】
前記地下シェルター室の内部空間を含めた前記地下シェルター室自体が、水の比重よりも重くなるように作製することにより、水に浮かないようにしたことを特徴とする請求項１〜４いずれか１項記載の水災害時緊急避難用シェルター。
【請求項６】
前記地下シェルター室の上部の地上にＲＣ構造で建屋が建築され、前記建屋の屋根部分に前記階段室が設けられ、前記建屋の壁面の一部が、中央部が突出した平面視Ｖ字状の波切り壁とされてなることを特徴とする請求項１〜５いずれか１項記載の水災害時緊急避難用シェルター。
【請求項７】
前記波切り壁が、前記建屋の一端側と他端側に設けられることにより、押し波と引き波の両方の波を切れるようにしてなることを特徴とする請求項６記載の水災害時緊急避難用シェルター。
【考案の詳細な説明】
【技術分野】
【０００１】
本考案は、津波や洪水などの水災害時に緊急避難するための地下シェルターに関する。
【背景技術】
【０００２】
津波や洪水などの対策として、地上に建設されるシェルターとして、例えば、家屋付設式津波避難用シェルター（特許文献１）などがあり、地下に建設されるシェルターとして、緊急避難用シェルター（特許文献２）などが提案されている。
【０００３】
しかしながら、シェルターを地上に建設した場合、強い水の流れで流されてしまったり、破壊されてしまったりするおそれがある。
【０００４】
また、シェルターを地下に建設した場合、地下へ降りる手段が必要となるが、例えば特許文献２では、地下シェルター内に降りるための梯子が設けられている。しかしながら、このような梯子を下りたり登ったりするのは大変である。特に、地下シェルターの場合には、食料や水などを備蓄する必要があり、食料や水などを持って何度も地下と地上を行き来するのは、骨が折れる作業である。
【先行技術文献】
【特許文献】
【０００５】
【特許文献１】特開２００７−２７７９９８
【特許文献２】特開２００３−２０６６３
【考案の開示】
【考案が解決しようとする課題】
【０００６】
本考案は、上記した従来技術の問題点に鑑みなされたもので、地上との行き来がし易く、かつ水災害時、特に津波来襲時の押し波や引き波にも破壊されないようにした水災害時緊急避難用シェルターを提供することを目的とする。
【課題を解決するための手段】
【０００７】
上記課題を解決するために、本考案の建物の水災害時緊急避難用シェルターは、ＲＣ構造（鉄筋コンクリート構造）で地下に建築された床面及び壁面を有する地下シェルター室と、前記地下シェルター室の床面から地上に上がるための階段と、前記階段の上部を囲うようにＲＣ構造で地上に建築された壁面と天蓋を有する階段室と、を含み、前記階段室が、外部への出入り口を有し、かつ前記階段室の壁面の一部が、中央部が突出した平面視Ｖ字状の波切り壁とされてなることを特徴とする。
【０００８】
また、前記波切り壁が、前記階段室の一端側と他端側に設けられることにより、押し波と引き波の両方の波を切れるようにしてなるように構成するのが好ましい。
【０００９】
前記階段室の天蓋が、傾斜して設けられるのが好ましい。特に、海辺方向から陸地方向に向かって傾斜が低くなるように設けることで、津波の際の引き波をさばくことができる。
【００１０】
前記階段室が、家屋の基礎と一体的に形成されてなるのが好適である。このように構成することで、津波の際にも基礎と一体的に残るので、再建がしやすいという利点がある。
【００１１】
さらに、前記地下シェルター室の内部空間を含めた前記地下シェルター室自体が、水の比重よりも重くなるように作製することにより、水に浮かないようにするのが好ましい。津波の際に、前記地下シェルター室自体が水に浮いてしまうのを防止するためである。
【００１２】
さらにまた、前記地下シェルター室の上部の地上にＲＣ構造で建屋が建築され、前記建屋の屋根部分に前記階段室が設けられ、前記建屋の壁面の一部が、中央部が突出した平面視Ｖ字状の波切り壁とされてようにしてもよい。
【００１３】
前記波切り壁が、前記建屋の一端側と他端側に設けられることにより、押し波と引き波の両方の波を切れるようにしてなるのがさらに好適である。
【考案の効果】
【００１４】
本考案によれば、地上との行き来がし易く、かつ水災害時、特に津波来襲時の押し波や引き波にも破壊されないようにした水災害時緊急避難用シェルターを提供することができるという著大な効果を奏する。
【図面の簡単な説明】
【００１５】
【図１】水災害時緊急避難用シェルターの一つの実施の形態を示す概略図である。
【図２】家屋の地下に地下シェルター室を設けた実施の形態を示す概略図である。
【図３】水災害時緊急避難用シェルターの別の実施の形態を示す概略図である。
【図４】水災害時緊急避難用シェルターの別の実施の形態を示す平面概略説明図である。
【図５】水災害時緊急避難用シェルターの別の実施の形態を示す斜視概略説明図である。
【図６】建屋を備えた家屋の地下に地下シェルター室を設けた実施の形態を示す概略図である。
【考案を実施するための形態】
【００１６】
以下に本考案の実施の形態を添付図面に基づいて説明するが、図示例は例示的に示されたもので、本考案の技術的思想から逸脱しない限り種々の変形が可能なことは言うまでもない。
【００１７】
本考案の水災害時緊急避難用シェルターの一つの実施の形態を図１及び図２に示す。
【００１８】
図において、符号１０Ａは、水災害時緊急避難用シェルターの一つの実施の形態を示す。水災害時緊急避難用シェルター１０Ａは、ＲＣ構造で地下に建築された床面１２及び壁面１４を有する地下シェルター室１６と、前記地下シェルター室１６の床面１２から地上に上がるための階段１８と、前記階段１８の上部を囲うようにＲＣ構造で地上に建築された壁面２０と天蓋２２を有する階段室２４と、を含み、前記階段室２４が、外部への出入り口２６を有し、かつ前記階段室２４の壁面２０の一部が、中央部が突出した平面視Ｖ字状の波切り壁２８とされている。
【００１９】
図において、符号１５は、階段の入り口にある扉である。
【００２０】
図示例では、階段室２４の天蓋２２が、傾斜して設けられており、海辺方向から陸地方向に向かって傾斜が低くなるように設けられているので、津波の際の引き波をさばくことができるように構成されている。
【００２１】
また、階段室２４が、家屋の基礎３０と一体的に形成されており、津波の際にも基礎と一体的に残るので、家屋の再建がしやすくされている。
【００２２】
さらに、地下シェルター室１６の内部空間を含めた地下シェルター室自体が、水の比重よりも重くなるように作製されているため、津波などによる浸水の際も、水に浮かない構造となっている。
【００２３】
このように構成された水災害時緊急避難用シェルター１０Ａは、図２に示すように、津波３２が来た場合であっても、地上にある家屋３３は流されるが、ＲＣ構造の階段室２４を残して地下にある水災害時緊急避難用シェルター１０Ａは残るので、かかる水災害時緊急避難用シェルター１０Ａに避難することで、被害を逃れることが可能となる。
【００２４】
そのため、水災害時緊急避難用シェルター１０Ａは、シェルター内で３〜４日の避難ができる備蓄食糧や設備が備えられている。また、図示は省略するが、水災害時緊急避難用シェルター１０Ａは、シェルター内に換気装置の他、地上の様子を伺い見ることの出来る潜望鏡などの設備も備わっている。
【００２５】
次に、水災害時緊急避難用シェルターの別の実施の形態を図３〜図６に示す。図において、符号１０Ｂは、水災害時緊急避難用シェルターの別の実施の形態を示す。水災害時緊急避難用シェルター１０Ｂは、水災害時緊急避難用シェルター１０Ａと同様に、ＲＣ構造で地下に建築された床面１２及び壁面１４を有する地下シェルター室１６と、前記地下シェルター室１６の床面１２から地上に上がるための階段１８と、前記階段１８の上部を囲うようにＲＣ構造で地上に建築された壁面３４と天蓋３６を有する階段室３８と、を含み、前記階段室３８が、外部への出入り口４０を有し、かつ前記階段室３８の壁面３４の一部が、中央部が突出した平面視Ｖ字状の波切り壁４２とされている。図において、符号１５は、階段の入り口にある扉である。
【００２６】
図示例では、階段室３８の天蓋３６が、傾斜して設けられており、海辺方向から陸地方向に向かって傾斜が低くなるように設けられているので、津波の際の引き波をさばくことができるように構成されている（図４参照）。
【００２７】
また、前記波切り壁は、前記階段室３８の一端側の波切り壁４２と他端側の波切り壁４４が設けられることにより、押し波と引き波の両方の波を切れるようにされている。
【００２８】
さらに、前記地下シェルター室１６の上部の地上にＲＣ構造で建屋４６が建築され、前記建屋４６の屋根４８の部分に前記階段室３８が設けられ、前記建屋４６の壁面５０の一部が、中央部が突出した平面視Ｖ字状の波切り壁５２とされてなる。
【００２９】
前記波切り壁は、前記建屋４６の一端側の波切り壁５２と他端側の波切り壁５４が設けられることにより、押し波と引き波の両方の波を切れるようにされている。
【００３０】
さらに、地下シェルター室１６の内部空間を含めた地下シェルター室自体が、水の比重よりも重くなるように作製されているため、津波などによる浸水の際も、水に浮かない構造となっている。
【００３１】
また、前記建屋４６が浸水することで屋根４８に水６０の重力がかかり、浮力を抑制する（図５）。なお、符号５８は、屋根４８の天窓である。
【００３２】
このように構成された水災害時緊急避難用シェルター１０Ｂは、図５に示すように、建屋４６の上に家屋５６を建設して住むことができる。そして、津波３２が来た場合であっても、地上にある家屋５６は流されるが、ＲＣ構造の階段室３８とＲＣ構造の建屋４６を残して地下にある水災害時緊急避難用シェルター１０Ｂは残るので、かかる水災害時緊急避難用シェルター１０Ｂに避難することで、被害を逃れることが可能となる。
【００３３】
そのため、水災害時緊急避難用シェルター１０Ｂは、シェルター内で３〜４日の避難ができる備蓄食糧や設備が備えられている。また、図示は省略するが、水災害時緊急避難用シェルター１０Ｂは、シェルター内に換気装置の他、地上の様子を伺い見ることの出来る潜望鏡などの設備も備わっている。
【産業上の利用可能性】
【００３４】
本考案の水災害時緊急避難用シェルターは、津波や洪水などの水災害時に緊急避難するための地下シェルターとして、家屋の地下や敷地内などのいずれの場所にも適用することができる。
【符号の説明】
【００３５】
１０Ａ，１０Ｂ：本考案に係る水災害時緊急避難用シェルター、１２：床面、１４：壁面、１５：扉、１６：地下シェルター室、１８：階段、２０，３４：壁面、２２，３６：天蓋、２４，３８：階段室、２６，４０：出入り口、２８：波切り壁、３０：基礎、３２：津波、３３：家屋、４２，４４，５２，５４：波切り壁、４６：建屋、４８：屋根、５０：建て屋の壁面、５６：家屋、５８：天窓、６０：水。
【図１】
0003171235.tif 000003
【図２】
0003171235.tif 000004
【図３】
0003171235.tif 000005
【図４】
0003171235.tif 000006
【図５】
0003171235.tif 000007
【図６】
0003171235.tif 000008